(57)【要約】【課題】バッテリの個体差及び使用状態が正確に反映された分極解消特性を簡易に求めて、平衡状態の開放電圧値を高精度で予測することができる開放電圧予測方法及び開放電圧予測装置を提供する。【解決手段】アクセサリスイッチ４がオフである場合に、バッテリ２の充放電による分極の解消に伴って、電圧センサ１１の検出結果がバッテリ２の平衡状態の開放電圧値に収斂する分極解消特性を算出して記憶部１３に記憶させ（学習）、この分極が解消されない間にアクセサリスイッチ４がオンになった場合の電圧センサ１１の検出結果と、記憶部１３に記憶されている分極解消特性とを用いて、平衡状態の開放電圧値を予測する。この場合、車両に搭載されて使用されているバッテリ２自身の電圧センサ１１の検出結果に基づいて分極解消特性を学習しているため、バッテリ２の個体差及び使用状態が正確に反映された分極解消特性に基づいて平衡状態の開放電圧値が予測される。【選択図】図１
2008191103.tif 000002
【特許請求の範囲】
【請求項１】
車両に搭載されているバッテリの電圧値を検出する電圧検出手段を用い、
前記バッテリから電気負荷への給電をオン／オフするアクセサリスイッチがオフである場合に前記バッテリの充放電による分極が解消され、且つ、前記バッテリに対して電流が流入出しない場合の開放電圧値を予測する開放電圧予測方法において、
前記電圧検出手段の検出結果が、前記分極の解消に伴って前記開放電圧値に収斂する特性を算出し、
算出した特性を記憶し、
前記分極が解消されない間に前記アクセサリスイッチがオンになった場合の前記電圧検出手段の検出結果と、記憶されている前記特性とに基づいて、前記開放電圧値を予測することを特徴とする開放電圧予測方法。
【請求項２】
前記特性を算出するために、
前記アクセサリスイッチがオフになってから前記分極の解消に要する所定時間が経過する都度、該所定時間が経過した場合に前記電圧検出手段が検出した終期電圧値と、前記所定時間が経過するまでに所定のタイミングで前記電圧検出手段が検出した複数の中途電圧値との差値を夫々算出し、
前記終期電圧値と、前記オフになったときに前記電圧検出手段が検出した初期電圧値との差値に対する前記終期電圧値と前記中途電圧値との各差値の比率を算出し、
算出した比率を、該比率に対応する中途電圧値を検出したタイミングに関連付けて記憶し、
前記開放電圧値を予測するために、
記憶されている比率と該比率に関連付けられているタイミングとを用いて、前記アクセサリスイッチがオフになってから前記所定時間が経過しない間に前記アクセサリスイッチがオンになった場合に対応する比率を算出し、
算出した比率と、前記オンになったときに前記電圧検出手段が検出した電圧値と、前記オフになったときに前記電圧検出手段が検出した初期電圧値とを用いて、前記開放電圧値を算出することを特徴とする請求項１に記載の開放電圧予測方法。
【請求項３】
算出した比率と、該比率に対応する中途電圧値を検出したタイミングに関連付けて記憶されている比率との加重平均値を算出し、
平均化された比率を、該比率に対応する中途電圧値を検出したタイミングに関連付けて記憶することを特徴とする請求項２に記載の開放電圧予測方法。
【請求項４】
前記バッテリが取り替えられる都度、前記特性を新たに算出することを特徴とする請求項１乃至３の何れか一項に記載の開放電圧予測方法。
【請求項５】
車両に搭載されているバッテリの電圧値を検出する電圧検出手段を備え、
前記バッテリから電気負荷への給電をオン／オフするアクセサリスイッチがオフである場合に前記バッテリの充放電による分極が解消され、且つ、前記バッテリに対して電流が流入出しない場合の開放電圧値を予測する開放電圧予測装置において、
前記電圧検出手段の検出結果が、前記分極の解消に伴って前記開放電圧値に収斂する特性を算出する特性算出手段、
該特性算出手段が算出した特性を記憶する記憶手段、及び、
前記分極が解消されない間に前記アクセサリスイッチがオンになった場合の前記電圧検出手段の検出結果と、前記記憶手段に記憶されている前記特性とに基づいて、前記開放電圧値を予測する予測手段
を備えることを特徴とする開放電圧予測装置。
【請求項６】
前記特性算出手段は、
前記アクセサリスイッチがオフになってから前記分極の解消に要する所定時間が経過する都度、該所定時間が経過した場合に前記電圧検出手段が検出した終期電圧値と、前記所定時間が経過するまでに所定のタイミングで前記電圧検出手段が検出した複数の中途電圧値との差値を夫々算出する差値算出手段、及び、
前記終期電圧値と、前記オフになったときに前記電圧検出手段が検出した初期電圧値との差値に対する前記差値算出手段の各算出結果の比率を算出する比率算出手段
を有し、
前記記憶手段は、前記比率算出手段が算出した比率を、該比率に対応する中途電圧値を検出したタイミングに関連付けて記憶するようにしてあり、
前記予測手段は、
前記記憶手段に記憶されている比率と該比率に関連付けられているタイミングとを用いて、前記アクセサリスイッチがオフになってから前記所定時間が経過しない間に前記アクセサリスイッチがオンになった場合に対応する比率を算出する対応算出手段、及び、
該対応算出手段が算出した比率と、前記オンになったときに前記電圧検出手段が検出した電圧値と、前記オフになったときに前記電圧検出手段が検出した初期電圧値とを用いて、前記開放電圧値を算出する電圧算出手段
を有することを特徴とする請求項５に記載の開放電圧予測装置。
【請求項７】
前記比率算出手段が算出した比率と、該比率に対応する中途電圧値を検出したタイミングに関連付けて前記記憶手段に記憶されている比率との加重平均値を算出する平均算出手段を更に備え、
前記記憶手段は、前記平均算出手段によって平均化された比率を、該比率に対応する中途電圧値を検出したタイミングに関連付けて記憶するようにしてあることを特徴とする請求項６に記載の開放電圧予測装置。
【請求項８】
前記電圧検出手段の検出結果が所定電圧値以下であるか否かを判定する電圧判定手段、及び、
該電圧判定手段が、前記所定電圧値以下であると判定した場合、前記記憶手段による比率の記憶を禁止する禁止手段
を更に備えることを特徴とする請求項５乃至７の何れか一項に記載の開放電圧予測装置。
【発明の詳細な説明】
【技術分野】
【０００１】
本発明は、車両に搭載されているバッテリの平衡状態における開放電圧値を予測する開放電圧予測方法及び開放電圧予測装置に関する。
【背景技術】
【０００２】
バッテリの開放電圧値（即ちバッテリに対して電流が流入出していない場合の端子電圧値）は、バッテリが放電した後、放電によるバッテリ液の分極の解消に伴って上昇し、分極が解消されて平衡状態になった場合に一定の電圧値に収束する。一方、バッテリが充電された後の開放電圧値は、充電によるバッテリ液の分極の解消に伴って降下し、分極が解消されて平衡状態になった場合に一定の電圧値に収束する。
このように、充放電による分極が解消せず非平衡状態にあるバッテリの開放電圧値が、分極の解消に伴って平衡状態の開放電圧値に収斂する特性を、以下では分極解消特性という。
【０００３】
平衡状態の開放電圧値はバッテリの充電量に対応しており、バッテリの残蓄電量は、この開放電圧値に基づいて算出される。
しかしながら、車両に搭載されるバッテリは、一般に、充放電が終了してから分極が解消されるまでに２４時間以上を要するため、車両の使用形態によっては、分極が解消される前にバッテリに対する充放電が再開されることがある。この場合、平衡状態の開放電圧値を直接的に検出することができないという問題がある。
この問題を解決するために、従来、平衡状態の開放電圧値を間接的に検出する（即ち予測する）方法が提案されている（特許文献１，２参照）。
【０００４】
特許文献１に開示されている開放電圧予測方法では、分極解消特性の線形近似式を実験的に求めており、この近似式に基づいて、平衡状態の開放電圧値が予測される。
また、特許文献２に開示されている開放電圧予測方法では、分極解消特性に関し、応答性が速い活性化分極と応答性が遅い濃度分極とを考慮した近似式を実験的に求めており、この近似式に基づいて、平衡状態の開放電圧値が予測される。
【特許文献１】特開２００２−２５０７５７号公報
【特許文献２】特開２００５−８３９７０号公報
【発明の開示】
【発明が解決しようとする課題】
【０００５】
しかしながら、特許文献１，２に開示されている開放電圧予測方法では、近似式に含まれている定数を、実験によって求められた一定値としており、このため、バッテリの個体差や、バッテリの充電量、劣化度、周辺温度等の使用状態を正確に反映しているとは言い難い。
また、分極解消特性の近似式を、多様なバッテリの使用状態を反映した上で、バッテリ毎に予め実験を行なって求めることはできない。
【０００６】
本発明は斯かる事情に鑑みてなされたものであり、その主たる目的は、車両に搭載されたバッテリの電圧値を検出する電圧検出手段の検出結果が、平衡状態の開放電圧値に収斂する特性を算出して記憶し、記憶した特性に基づいて、平衡状態の開放電圧値を予測することにより、バッテリの個体差及び使用状態が正確に反映された分極解消特性を簡易に求めて、平衡状態の開放電圧値を高精度で予測することができる開放電圧予測方法及び開放電圧予測装置を提供することにある。
【０００７】
本発明の他の目的は、車両に搭載されたバッテリの充放電が終了してから所定時間が経過する都度、この所定時間が経過した場合に電圧検出手段が検出した終期電圧値と、この所定時間が経過するまでに所定のタイミングで電圧検出手段が検出した複数の中途電圧値との差値を夫々算出し、この差値に関し、終期電圧値と、充放電が終了した場合に電圧検出手段が検出した初期電圧値との差値に対する比率を算出して記憶することにより、バッテリの使用状態が反映された分極解消特性に基づいて平衡状態の開放電圧値を高精度で予測することができる開放電圧予測方法及び開放電圧予測装置を提供することにある。
【０００８】
本発明の他の目的は、算出した比率と記憶した比率との加重平均値を求めて記憶することにより、バッテリの劣化の進行の度合い、周辺温度の高低等のバッテリの使用状態が更に反映された分極解消特性を簡易に求めることができる開放電圧予測方法及び開放電圧予測装置を提供することにある。
【０００９】
本発明の他の目的は、車両に搭載されたバッテリが取り替えられる都度、バッテリの電圧値を検出する電圧検出手段の検出結果が、分極の解消に伴って平衡状態の開放電圧値に収斂する特性を算出して記憶し、記憶した特性に基づいて、平衡状態の開放電圧値を予測することにより、バッテリの個体差が反映された分極解消特性に基づいて平衡状態の開放電圧値を高精度で予測することができる開放電圧予測方法を提供することにある。
【００１０】
本発明の更に他の目的は、車両に搭載されたバッテリの電圧値が所定電圧値以下であると判定した場合は比率を記憶しない構成とすることにより、正常な状態のバッテリの個体差及び使用状態が反映された分極解消特性に基づいて平衡状態の開放電圧値を高精度で予測することができる開放電圧予測装置を提供することにある。
【課題を解決するための手段】
【００１１】
第１発明に係る開放電圧予測方法は、車両に搭載されているバッテリの電圧値を検出する電圧検出手段を用い、前記バッテリから電気負荷への給電をオン／オフするアクセサリスイッチがオフである場合に前記バッテリの充放電による分極が解消され、且つ、前記バッテリに対して電流が流入出しない場合の開放電圧値を予測する開放電圧予測方法において、前記電圧検出手段の検出結果が、前記分極の解消に伴って前記開放電圧値に収斂する特性を算出し、算出した特性を記憶し、前記分極が解消されない間に前記アクセサリスイッチがオンになった場合の前記電圧検出手段の検出結果と、記憶されている前記特性とに基づいて、前記開放電圧値を予測することを特徴とする。
【００１２】
第２発明に係る開放電圧予測方法は、前記特性を算出するために、前記アクセサリスイッチがオフになってから前記分極の解消に要する所定時間が経過する都度、該所定時間が経過した場合に前記電圧検出手段が検出した終期電圧値と、前記所定時間が経過するまでに所定のタイミングで前記電圧検出手段が検出した複数の中途電圧値との差値を夫々算出し、前記終期電圧値と、前記オフになったときに前記電圧検出手段が検出した初期電圧値との差値に対する前記終期電圧値と前記中途電圧値との各差値の比率を算出し、算出した比率を、該比率に対応する中途電圧値を検出したタイミングに関連付けて記憶し、前記開放電圧値を予測するために、記憶されている比率と該比率に関連付けられているタイミングとを用いて、前記アクセサリスイッチがオフになってから前記所定時間が経過しない間に前記アクセサリスイッチがオンになった場合に対応する比率を算出し、算出した比率と、前記オンになったときに前記電圧検出手段が検出した電圧値と、前記オフになったときに前記電圧検出手段が検出した初期電圧値とを用いて、前記開放電圧値を算出することを特徴とする。
【００１３】
第３発明に係る開放電圧予測方法は、算出した比率と、該比率に対応する中途電圧値を検出したタイミングに関連付けて記憶されている比率との加重平均値を算出し、平均化された比率を、該比率に対応する中途電圧値を検出したタイミングに関連付けて記憶することを特徴とする。
【００１４】
第４発明に係る開放電圧予測方法は、前記バッテリが取り替えられる都度、前記特性を新たに算出することを特徴とする。
【００１５】
第５発明に係る開放電圧予測装置は、車両に搭載されているバッテリの電圧値を検出する電圧検出手段を備え、前記バッテリから電気負荷への給電をオン／オフするアクセサリスイッチがオフである場合に前記バッテリの充放電による分極が解消され、且つ、前記バッテリに対して電流が流入出しない場合の開放電圧値を予測する開放電圧予測装置において、前記電圧検出手段の検出結果が、前記分極の解消に伴って前記開放電圧値に収斂する特性を算出する特性算出手段、該特性算出手段が算出した特性を記憶する記憶手段、及び、前記分極が解消されない間に前記アクセサリスイッチがオンになった場合の前記電圧検出手段の検出結果と、前記記憶手段に記憶されている前記特性とに基づいて、前記開放電圧値を予測する予測手段を備えることを特徴とする。
【００１６】
第６発明に係る開放電圧予測装置は、前記特性算出手段は、前記アクセサリスイッチがオフになってから前記分極の解消に要する所定時間が経過する都度、該所定時間が経過した場合に前記電圧検出手段が検出した終期電圧値と、前記所定時間が経過するまでに所定のタイミングで前記電圧検出手段が検出した複数の中途電圧値との差値を夫々算出する差値算出手段、及び、前記終期電圧値と、前記オフになったときに前記電圧検出手段が検出した初期電圧値との差値に対する前記差値算出手段の各算出結果の比率を算出する比率算出手段を有し、前記記憶手段は、前記比率算出手段が算出した比率を、該比率に対応する中途電圧値を検出したタイミングに関連付けて記憶するようにしてあり、前記予測手段は、前記記憶手段に記憶されている比率と該比率に関連付けられているタイミングとを用いて、前記アクセサリスイッチがオフになってから前記所定時間が経過しない間に前記アクセサリスイッチがオンになった場合に対応する比率を算出する対応算出手段、及び、該対応算出手段が算出した比率と、前記オンになったときに前記電圧検出手段が検出した電圧値と、前記オフになったときに前記電圧検出手段が検出した初期電圧値とを用いて、前記開放電圧値を算出する電圧算出手段を有することを特徴とする。
【００１７】
第７発明に係る開放電圧予測装置は、前記比率算出手段が算出した比率と、該比率に対応する中途電圧値を検出したタイミングに関連付けて前記記憶手段に記憶されている比率との加重平均値を算出する平均算出手段を更に備え、前記記憶手段は、前記平均算出手段によって平均化された比率を、該比率に対応する中途電圧値を検出したタイミングに関連付けて記憶するようにしてあることを特徴とする。
【００１８】
第８発明に係る開放電圧予測装置は、前記電圧検出手段の検出結果が所定電圧値以下であるか否かを判定する電圧判定手段、及び、該電圧判定手段が、前記所定電圧値以下であると判定した場合、前記記憶手段による比率の記憶を禁止する禁止手段を更に備えることを特徴とする。
【００１９】
第１発明の方法及び第５発明の装置にあっては、車両に搭載されているバッテリの電圧値を、電圧検出手段（例えば電圧センサ）を用いて検出し、このバッテリから電気負荷への給電をオン／オフするアクセサリスイッチがオフである場合（即ちこのバッテリに対する充放電が行なわれていない場合）に、このバッテリの充放電による分極の解消に伴って電圧検出手段の検出結果が平衡状態の開放電圧値に収斂する特性を算出する（即ち、電圧検出手段の検出結果に基づいてバッテリの特性を学習する）。ここで、平衡状態の開放電圧値とは、バッテリの充放電による分極が解消された状態の開放電圧値である。
算出した特性は、記憶手段（例えばＲＡＭ）に記憶される。
【００２０】
分極が解消されない間にアクセサリスイッチがオンになった場合とは、分極が解消される前にバッテリに対する充放電が再開された場合であり、この場合の電圧検出手段の検出結果、即ち非平衡状態の開放電圧値（又はこの開放電圧値に近似する電圧値）と、記憶手段に記憶されている特性とに基づいて、平衡状態の開放電圧値が予測される。
このようにして算出された特性は分極解消特性であり、車両に搭載されているバッテリの電圧値を、電圧検出手段が検出することによって求められている。つまり、車両に搭載されているバッテリ自身の分極解消特性が、実際に使用されている状態で求められている。
【００２１】
第２発明の方法及び第６発明の装置にあっては、分極解消特性を算出するために、アクセサリスイッチがオフになってから、分極解消に要する所定時間が経過する都度、この所定時間が経過した場合に電圧検出手段が検出した終期電圧値と、この所定時間が経過するまでに所定のタイミングで電圧検出手段が検出した複数の中途電圧値との差値が夫々算出される。即ち、分極が解消される都度、平衡状態の開放電圧値と、平衡状態に至るまでの非平衡状態の複数の開放電圧値との差値が夫々算出される。
ここで、終期電圧値と中途電圧値との差値は、バッテリの放電後は開放電圧値の上昇値であり、バッテリの充電後は開放電圧値の降下値であって、バッテリが実際に使用されている状態で求められる。
【００２２】
そして、終期電圧値と、アクセサリスイッチがオフになったときに電圧検出手段が検出した初期電圧値との差値に対する終期電圧値と中途電圧値との各差値の比率が算出される。即ち、充放電終了直後の非平衡状態の開放電圧値と平衡状態の開放電圧値との差に対する開放電圧値の上昇値又は降下値の割合が算出される。
充放電終了直後の非平衡状態の開放電圧値、平衡状態の開放電圧値等は、特に、バッテリの充電量の多寡の影響を受けている。この影響を排除するために、終期電圧値と中途電圧値との差値が、初期電圧値と終期電圧値との差値によって正規化される。
【００２３】
更に、算出された比率（即ち車両に搭載されているバッテリ自身に関するバッテリの充電量の多寡の影響を除いた特性）が、この比率に対応する中途電圧値を検出したタイミングに関連付けて記憶手段に記憶される。即ち、記憶手段は比率とタイミングとで記述される分極解消特性を記憶する。
【００２４】
そして、記憶手段に記憶されている比率と、この比率に関連付けられているタイミングとを用いて、アクセサリスイッチがオフになってから所定時間が経過しない間にアクセサリスイッチがオンになった場合に対応する比率が算出される。次いで、算出された比率と、アクセサリスイッチがオンになったときに電圧検出手段が検出した電圧値と、アクセサリスイッチがオフになったときに電圧検出手段が検出した初期電圧値とを用いて、開放電圧値が算出される。
即ち、分極が解消されない間にバッテリに対する充放電が再開された場合の非平衡状態の開放電圧値と、充放電終了直後の非平衡状態の開放電圧値と、記憶手段に記憶されている分極解消特性とを用いて、平衡状態の開放電圧値が予測される。
【００２５】
第３発明の方法及び第７発明の装置にあっては、算出された比率と、この比率に対応する中途電圧値を検出したタイミングに関連付けて記憶手段に記憶されている比率との加重平均値が算出され、算出された加重平均値、即ち平均化された比率を、この比率に対応する中途電圧値を検出したタイミングに関連付けて記憶手段に記憶させる。即ち、電圧検出手段の検出結果の生データを用いて算出された比率と、記憶手段に記憶されている比率との加重平均値が算出される。
【００２６】
このようにして平均化された比率を求めることによって、今回の平衡状態に係る分極解消特性の算出結果に、前回以前の平衡状態に係る分極解消特性の算出結果が影響する。即ち、今回学習すべき分極解消特性に、前回までに学習してきた分極解消特性が影響する。このため、特に、バッテリの劣化度の経時変化（具体的には劣化度の増大）が、記憶手段に記憶される比率（即ち今回最終的に学習する分極解消特性）に反映される。
【００２７】
第４発明の方法にあっては、車両に搭載されているバッテリが取り替えられる都度、車両に搭載されているバッテリの電圧値を、電圧検出手段を用いて検出し、このバッテリの分極解消に伴って電圧検出手段の検出結果が平衡状態の開放電圧値に収斂する特性を算出する。
このため、現在車両に搭載されているバッテリの非平衡状態の開放電圧値と、以前車両に搭載されていたバッテリの特性、即ち現在車両に搭載されているバッテリの特性とは異なる特性とに基づいて、現在車両に搭載されているバッテリの平衡状態の開放電圧値が予測されることがない。
【００２８】
第８発明の装置にあっては、電圧判定手段及び禁止手段を更に備える。
バッテリの充電量が極端に小さい場合、バッテリの状態は異常である。このような異常状態で学習した特性に基づいて予測された平衡状態の開放電圧値は、誤差が大きいと考えられる。そして、バッテリの充電量は、電圧検出手段の検出結果に略対応する。
【００２９】
そこで、電圧判定手段は、電圧検出手段の検出結果が所定電圧値以下であるか否かを判定することによって、このバッテリの状態が正常であるか否かを判定し、電圧判定手段が、電圧検出手段の検出結果が所定電圧値以下であると判定した場合（即ちバッテリの状態が異常であると判定した場合）、禁止手段は、記憶手段による比率の記憶を禁止する（即ち学習しないようにする）。
逆に、電圧判定手段が、電圧検出手段の検出結果が所定電圧値超過であると判定した場合（即ちバッテリの状態が正常であると判定した場合）、記憶手段による比率の記憶が実行される（即ち学習する）。
【発明の効果】
【００３０】
第１発明の開放電圧予測方法及び第５発明の開放電圧予測装置による場合、バッテリが実際に使用されている状態で検出された電圧値に基づいて、このバッテリ自身の特性を算出して記憶する（即ち学習する）ため、バッテリの構造差、材質差等の個体差、及びバッテリの充電量、劣化度、周辺温度等の使用状態が正確に反映された分極解消特性を簡易に求めることができる。
また、学習した特性に基づいて平衡状態の開放電圧値を予測するため、個体差及び使用状態が反映された分極解消特性に基づいて、平衡状態の開放電圧値を高精度で予測することができる。
しかも、バッテリの分極解消特性を求めるために、予め実験を行なう必要がない。
【００３１】
第２発明の開放電圧予測方法及び第６発明の開放電圧予測装置による場合、バッテリの非平衡状態の開放電圧値と、このバッテリが実際に使用されている状態で検出された開放電圧値の上昇値又は降下値を用いてなる分極解消特性とに基づいて平衡状態の開放電圧値を予測する。このため、バッテリの使用状態が反映された分極解消特性に基づいて、平衡状態の開放電圧値を高精度で予測することができる。しかも、ここで算出されている分極解消特性はバッテリの充電量の多寡の影響が排除されているため、予測結果も充電量の多寡の影響を受けていない。
【００３２】
第３発明の開放電圧予測方法及び第７発明の開放電圧予測装置による場合、バッテリの非平衡状態の開放電圧値と、このバッテリの劣化度の変化の影響を含む分極解消特性とに基づいて平衡状態の開放電圧値を予測するため、バッテリの使用状態、特にバッテリの劣化の進行の度合いが更に反映された分極解消特性に基づいて、平衡状態の開放電圧値を高精度で予測することができる。
【００３３】
第４発明の開放電圧予測方法による場合、車両に搭載されているバッテリの非平衡状態の開放電圧値と、このバッテリ自身の分極解消特性とに基づいて平衡状態の開放電圧値を予測するため、バッテリの個体差が反映された分極解消特性に基づいて、平衡状態の開放電圧値を高精度で予測することができる。
【００３４】
第８発明の開放電圧予測装置による場合、バッテリの非平衡状態の開放電圧値と、正常な状態のバッテリに係る分極解消特性とに基づいて平衡状態の開放電圧値を予測するため、正常な状態のバッテリの個体差及び使用状態が反映された分極解消特性に基づいて、平衡状態の開放電圧値を高精度で予測することができる。つまり、異常な状態のバッテリに係る分極解消特性に基づいて平衡状態の開放電圧値を予測することによって平衡状態の開放電圧値の予測精度が悪化することを抑制することができる。
【発明を実施するための最良の形態】
【００３５】
以下、本発明を、その実施の形態を示す図面に基づいて詳述する。
図１は、本発明の実施の形態に係る開放電圧予測方法を実行する開放電圧予測装置の概略構成を示すブロック図である。
図中１は開放電圧予測装置であり、開放電圧予測装置１は図示しない車両に搭載されている。また、開放電圧予測装置１は、ＣＰＵ１０と、信号線を介してＣＰＵ１０に夫々接続されている電圧センサ１１、電流センサ１２、及び記憶部１３とを備える。記憶部１３は揮発性のメモリを用いてなり、ＣＰＵ１０は、記憶部１３に対して各種のデータを読み書きする。ただし、車両が備える図示しないバッテリ端子からバッテリ２が取り外されることによって、記憶部１３に記憶されているデータは自動的に消去される。
【００３６】
開放電圧予測装置１が、充放電による分極が解消された状態の開放電圧値（即ち平衡状態の開放電圧値）を予測すべき対象は、車両に搭載されているバッテリ２である。
バッテリ２は２つの作用極を有する蓄電池であり、一方の端子はオルタネータ３２に接続され、他方の端子は接地されている。
【００３７】
オルタネータ３２は交流の車載発電機であって、エンジン３１の作動に連動して発電し、エンジン３１の停止に連動して発電を停止する。このオルタネータ３２が発電し整流した電力によって、バッテリ２は充電される。
ここで、車両のエンジン３１は、図示しないイグニッションスイッチに付設されているアクセサリスイッチ４がオンになり、更にこのイグニッションスイッチがオンになった後で、イグニッションスイッチに付設されている始動スイッチがオンになった場合に始動する。
【００３８】
また、バッテリ２及びオルタネータ３２は、アクセサリスイッチ４を介してラジオ４１、フォグランプ４２、デフォガ４３等の電気負荷に接続されており、これらの電気負荷に、オンになっているアクセサリスイッチ４を通じて給電する。
つまり、アクセサリスイッチ４がオンになった場合、バッテリ２に対する充放電が開始され、アクセサリスイッチ４がオフになった場合、バッテリ２に対する充放電が終了する。
本実施の形態においては、アクセサリスイッチ４がオフである場合は、大電力を要する電気負荷は使用されないものとする。
【００３９】
電圧センサ１１はバッテリ２の電圧を検出して、検出結果をＣＰＵ１０に与える。同様に、電流センサ１２はバッテリ２に対して流入出する電流値を検出して、検出結果をＣＰＵ１０に与える。
バッテリ２に電流が流入（又はバッテリ２から電流が流出）している場合に電流センサ１２の検出結果が正の値となるようにしておき、電流センサ１２の検出結果の積算値を求めることによって、ＣＰＵ１０は、バッテリ２の充電量を算出する。更にＣＰＵ１０は、予測した平衡状態の開放電圧値に基づいて、バッテリ２の充電量を算出する。以上のようにして算出されたバッテリ２の充電量は、何れか一方のみを使用してもよく、一方の算出結果で他方の算出結果を補正してもよい。
【００４０】
また、ＣＰＵ１０は、予測した平衡状態の開放電圧値に基づいて、バッテリ２の劣化度を算出する。
なお、前回算出した劣化度よりも今回算出した劣化度の方が小さい場合は、古いバッテリ２が新たなバッテリ２に取り替えられている。このため、算出した劣化度を不揮発性のメモリに記憶させておき、ＣＰＵ１０が劣化度を用いてバッテリ２の取り替えの有無を判定する構成でもよい。
【００４１】
ＣＰＵ１０は、更に、アクセサリスイッチ４と信号線で接続されており、アクセサリスイッチ４がオンであることを示すオン信号を与えられる。このオン信号が与えられている（又は与えられていない）場合、ＣＰＵ１０は、アクセサリスイッチ４がオンである（又はオフである）と判定する。
開放電圧予測装置１が予測した平衡状態の開放電圧値は、バッテリ２の残蓄電量の指標として、表示部５に表示される。
【００４２】
ここで、開放電圧値は、バッテリ２に対して電流が流入出しない場合の電圧値である。しかしながら、車両には、アクセサリスイッチ４を経由せず、また、通常はオフにできない電気負荷群（ＣＰＵ１０、時計等）が備えられているので、実際には、バッテリ２の電流値を“０”にするのは困難である。このため、本実施の形態においては、電流センサ１２が検出した電流値が、この電気負荷群の消費電流を考慮した所定電流値よりも小さい場合に電圧センサ１１が検出した電圧値を、近似的な開放電圧値として使用する。
【００４３】
次に、本発明の開放電圧予測方法の基本的な考え方について、簡単のため、アクセサリスイッチ４がオフになった時点でのバッテリ２の充電量が一定値であるという仮定に基づいて説明する。
図２及び図３は、バッテリの充放電後の開放電圧値の時間変化を示す特性図であり、横軸は経過時間、縦軸は開放電圧値を示している。以下では、バッテリ２を例示する。
アクセサリスイッチ４がオフになってバッテリ２に対する充電が終了したタイミングＴS の時点では、バッテリ２は分極が解消されていない非平衡状態にあり、図２に示すように、バッテリ２の開放電圧値は“ＶS”である。
【００４４】
タイミングＴS の後、タイミングＴ1 、タイミングＴ2 、タイミングＴ3 、…の順に時間が経過し、この時間経過に伴ってバッテリ２の分極が解消し、このためタイミングＴ1の時点の開放電圧値Ｖ1 、タイミングＴ2 の時点の開放電圧値Ｖ2 、タイミングＴ3の時点の開放電圧値Ｖ3 、…の順に開放電圧値が下降する。そして、分極が解消されて平衡状態になったタイミングＴE の時点で、一定の開放電圧値、即ち平衡状態の開放電圧値ＶEに収束する。
【００４５】
開放電圧値Ｖn （ただし、０≦ｎ≦Ｎ、変数ｎは“０”又は自然数、定数Ｎは自然数とする）は、電圧センサ１１の検出結果の生データである。また、本実施の形態においては、タイミングＴS （即ちタイミングＴ0 ）からタイミングＴE （即ちタイミングＴN ）までの経過時間を２４時間とし、開放電圧値Ｖn は３時間置きに検出される。このため、定数Ｎ＝８であり、また、開放電圧値Ｖ0 ＝開放電圧値ＶS 、開放電圧値ＶN ＝開放電圧値ＶE である。
【００４６】
つまり、開放電圧値ＶE （＝開放電圧値ＶN ）は、アクセサリスイッチ４がオフになってから所定時間（ここでは約２４時間）が経過した場合に（即ちタイミングＴE で）電圧センサ１１が検出した終期電圧値であり、開放電圧値ＶS （＝開放電圧値Ｖ0 ）は、アクセサリスイッチ４がオフになったときに（即ちタイミングＴS で）電圧センサ１１が検出した初期電圧値である。また、開放電圧値Ｖ1 ，Ｖ2 ，Ｖ3 ，…は、アクセサリスイッチ４がオフになってから所定時間が経過するまでに所定のタイミングＴ1，Ｔ2 ，Ｔ3 ，…で電圧センサ１１が検出した複数の中途電圧値である。
以下、終期電圧値を添字Ｅで示し、初期電圧値を添字Ｓで示す。
【００４７】
この開放電圧値ＶE と開放電圧値Ｖn とを用いて、開放電圧値ＶE と開放電圧値Ｖn との差値Ｄn が次の数式（１）に従って容易に算出される。
Ｄn ＝ＶE −Ｖn （≦０）…（１）
開放電圧予測装置１は、平衡状態の開放電圧値ＶE が電圧センサ１１によって直接的に検出された場合に、タイミングＴn と差値Ｄn とを算出し、記憶する（即ち学習する）。
【００４８】
一方、アクセサリスイッチ４がオフになった後、平衡状態の開放電圧値ＶE が電圧センサ１１によって直接的に検出されなかった場合、アクセサリスイッチ４がオンになったタイミングＴ' のときに、電圧センサ１１は非平衡状態の開放電圧値Ｖ' を検出する。この検出のタイミングＴ' がタイミングＴn に等しい場合、電圧センサ１１の検出結果である開放電圧値Ｖ' に、タイミングＴn に関連付けられている差値Ｄn を加算することによって、平衡状態の開放電圧値ＶE' が次の数式（２）に従って容易に予測されることになる。
ＶE' ＝Ｖ' ＋Ｄn …（２）
【００４９】
ここで、この検出のタイミングＴ' が、例えばタイミングＴn とタイミングＴn+1 との間のタイミングであった場合、タイミングＴn，Ｔn+1 に関連付けられている差値Ｄn ，Ｄn+1 を用い、（Ｔn ，Ｄn ）−（Ｔn+1 ，Ｄn+1 ）間の特性を例えば指数関数で近似して、タイミングＴ' に関連付けられる差値ＤC を補間し、求めた差値ＤC を電圧センサ１１の検出結果である開放電圧値Ｖ' に加算することによって、平衡状態の開放電圧値ＶE' が次の数式（４）に従って容易に予測されることになる。
ＶE' ＝Ｖ' ＋ＤC …（４）
【００５０】
ただし、タイミングＴ' は、アクセサリスイッチ４がオンになった時点か、この時点の直前であることが望ましい。何故ならばアクセサリスイッチ４がオンになった後はバッテリ２に対する充放電が開始され、バッテリ２の電圧値が開放電圧値Ｖ' から大きく乖離する虞があるからである。
【００５１】
開放電圧予測装置１においては、このようなタイミングＴn 及び差値Ｄn の関係を、充電に係るバッテリ２の分極解消特性として学習しておくことによって、平衡状態の開放電圧値ＶE'の予測が可能となる。この分極解消特性の学習は、バッテリ２が車両に搭載されている状態で、電圧センサ１１の検出結果を用いて行なわれる。このため、学習結果である分極解消特性に、バッテリ２の個体差及び使用状態が反映される。
【００５２】
しかしながら、実際には、アクセサリスイッチ４がオフになった時点でのバッテリ２の充電量は一定値ではなく、しかも、開放電圧値ＶS 、開放電圧値ＶE 等は、バッテリ２の充電量の多寡に応じて変化し、例えばバッテリ２の充電量が多いほど開放電圧値ＶE は高い。従って、学習すべき分極解消特性からバッテリ２の充電量の多寡の影響を除外する必要がある。このために、本実施の形態における開放電圧予測装置１は、開放電圧値ＶE と開放電圧値ＶS との差値ＤESに対する差値Ｄn の比率Ｒn を次の数式（５）に従って算出し、算出した比率Ｒn とタイミングＴn とを学習する。
【００５３】
Ｒn ＝（ＶE −Ｖn ）／（ＶE −ＶS ）
＝Ｄn ／ＤES（≧０）…（５）
つまり、差値Ｄn を差値ＤESで正規化することによって、バッテリ２の充電量の多寡の影響が除外される。
なお、このように差値Ｄ1 ，Ｄ2 ，…を差値ＤESで正規化しない場合は、例えば、バッテリ２の充電量毎に差値Ｄ1 ，Ｄ2 ，…を分極解消特性として学習し、充電量に応じて所定の係数を差値Ｄ1 ，Ｄ2 ，…に乗算することによって、バッテリ２の充電量の多寡の影響を除外してもよい。
【００５４】
一方、アクセサリスイッチ４がオフになった後、平衡状態の開放電圧値ＶE が電圧センサ１１によって直接的に検出されなかった場合、アクセサリスイッチ４がオンになったタイミングＴ' のときに、電圧センサ１１は非平衡状態の開放電圧値Ｖ' を検出する。また、アクセサリスイッチ４がオフになった場合に、電圧センサ１１は初期電圧値である非平衡状態の開放電圧値ＶS'を検出する。
【００５５】
この場合に予想される平衡状態の開放電圧値をＶE'とすると、開放電圧値ＶE'と開放電圧値ＶS'との差値に対する開放電圧値ＶE'と開放電圧値Ｖ' との差値に対する比率Ｒ'  は、次の数式（６）に従って求められる。
Ｒ' ＝（ＶE' −Ｖ' ）／（ＶE' −ＶS' ）…（６）
この検出のタイミングＴ' がタイミングＴn に等しい場合、タイミングＴn に関連付けられている比率Ｒn を用いて、平衡状態の開放電圧値ＶE'が次の数式（７）に従って容易に予測される。
Ｒn ＝（ＶE' −Ｖ' ）／（ＶE' −ＶS' ）
ＶE'＝（Ｒn ＶS' −Ｖ' ）／（Ｒn −１）…（７）
【００５６】
また、この検出のタイミングＴ' が、例えばタイミングＴn とタイミングＴn+1 との間のタイミングであった場合、タイミングＴn，Ｔn+1 に関連付けられている比率Ｒn ，Ｒn+1 を用い、（Ｔn ，Ｒn）−（Ｔn+1 ，Ｒn+1 ）間の特性を例えば指数関数で近似して、タイミングＴ' に関連付けられる比率ＲC を補間し、求めた比率ＲC を用いて、平衡状態の開放電圧値ＶE' が次の数式（８）に従って容易に予測される。
ＶE'＝（ＲC ＶS' −Ｖ' ）／（ＲC −１）…（８）
【００５７】
さて、バッテリ２の充電量以外にも、バッテリ２の周辺温度、バッテリ２自身の劣化度等が平衡状態の開放電圧値に影響を与える。特に、バッテリ２の劣化度は、バッテリ２が車両に搭載されてからの時間経過に伴って増大する。従って、学習すべき分極解消特性にバッテリ２の劣化度の変化を反映させる必要がある。このために、本実施の形態においては、今回前述のように算出した比率ＲLnと前回までの学習結果である比率ＲRnとの加重平均を求めることによって、平均化された比率Ｒn を算出する。以下では、今回の値を添字Ｌで示し、前回の値を添字Ｒで示す。
【００５８】
本実施の形態においては加重平均法として指数平滑化法が用いられ、具体的には、今回前述のように算出した比率ＲLn、前回までの学習結果である比率ＲRn、及び係数α（０＜α＜１）とすると、平均化されたＲn は、次の数式（９）に従って算出される。
Ｒn ＝αＲRn＋（１−α）ＲLn…（９）
【００５９】
つまり、今回のデータ（即ち比率ＲLn）に対し、適宜の重み付けを施した過去のデータ（即ち比率ＲRn）を反映させることによって、バッテリ２の周辺温度、劣化度等の変化のような経時的な影響が分極解消特性に反映する。このために、係数αは、比率ＲLnに対する比率ＲRnの影響の大きさに応じて予め（例えば工場出荷時に）設定されている。なお、例えば前回の学習終了から今回の学習実行までの経過時間、又は前回の学習時点の周辺温度と今回の学習時点の周辺温度との差等に応じてＣＰＵ１０が係数αを算出してもよい。
【００６０】
一方、アクセサリスイッチ４がオフになってバッテリ２に対する放電が終了したタイミングＴS の時点では、バッテリ２は分極が解消されていない非平衡状態にあり、図３に示すように、バッテリ２の開放電圧値は“ＶS ”である。
タイミングＴS の後、タイミングＴ1 、タイミングＴ2 、…の順に時間が経過し、この時間経過に伴ってバッテリ２の分極が解消し、このためタイミングＴ1 の時点の開放電圧値Ｖ1 、タイミングＴ2 の時点の開放電圧値Ｖ2 、…の順に開放電圧値が上昇する。そして、分極が解消されて平衡状態になったタイミングＴE の時点で、一定の開放電圧値、即ち平衡状態の開放電圧値ＶE に収束する。
【００６１】
この場合の開放電圧値ＶE と開放電圧値Ｖn とを用いて、開放電圧値ＶE と開放電圧値Ｖn との差値Ｄn は次の数式（１０）に従って算出される。
Ｄn ＝ＶE −Ｖn （≧０）…（１０）
そして、開放電圧予測装置１は、開放電圧値ＶE と開放電圧値ＶS との差値ＤESに対する差値Ｄn の比率Ｒn を次の数式（１１）に従って算出し、算出した比率Ｒn とタイミングＴn とを学習しておく。
Ｒn ＝（ＶE −Ｖn ）／（ＶE −ＶS ）
＝Ｄn ／ＤES（≧０）…（１１）
【００６２】
つまり、放電に係るバッテリ２の分極解消特性の学習方法及び平衡状態の開放電圧値の予測方法は、充電に係る分極解消特性の学習方法及び平衡状態の開放電圧値の予測方法と略同様の考え方でよい。
【００６３】
図４及び図５は、ＣＰＵ１０が実行する電圧予測処理の手順を示すフローチャートである。
ＣＰＵ１０は、アクセサリスイッチ４がオフになったか否かを判定し（Ｓ１１）、オフになっていない場合は（Ｓ１１でＮＯ）、Ｓ１１の処理を繰り返す。
アクセサリスイッチ４がオフになった場合（Ｓ１１でＹＥＳ）、ＣＰＵ１０は、例えば図示しないタイマを用いて計時を開始し（Ｓ１２）、このときの電圧センサ１１の検出結果である開放電圧ＶLS（＝ＶL0）を電圧センサ１１から読み込んで記憶部１３に記憶させる（Ｓ１３）。
【００６４】
そして、ＣＰＵ１０は、Ｓ１３における電圧センサ１１の検出結果が所定電圧値以下であるか否かを判定する（Ｓ１４）。ここで用いる所定電圧値は、バッテリ２の充電量が極端に少ない場合に対応する電圧値であり、電圧センサ１１の検出結果がこの所定電圧値以下である場合は、バッテリ２は異常な状態にある。そして、このような状態にあるバッテリ２の分極解消特性は学習しないようにする必要がある。
Ｓ１３における電圧センサ１１の検出結果が所定電圧値以下であると判定した場合（Ｓ１４でＹＥＳ）、ＣＰＵ１０は、Ｓ１２で開始した計時を終了し（Ｓ１５）、電圧予測処理を終了する。このとき、表示部５を用いてバッテリ２の異常を報知し、また、Ｓ１３で記憶させた開放電圧ＶLSを消去する。
【００６５】
Ｓ１３における電圧センサ１１の検出結果が所定電圧値を超過している場合（Ｓ１４でＮＯ）、ＣＰＵ１０は第１所定時間（経過時間３時間毎。具体的には３時間、６時間、…、２１時間、又は２４時間）が経過したか否かを判定し（Ｓ１６）、経過した場合は（Ｓ１６でＹＥＳ）、この場合の電圧センサ１１の検出結果である開放電圧ＶLnを電圧センサ１１から読み込んで、検出のタイミングＴLnと共に記憶部１３に記憶させる（Ｓ１７）。
【００６６】
Ｓ１７の処理完了後、又は第１所定時間が経過していない場合（Ｓ１６でＮＯ）、ＣＰＵ１０は第２所定時間（具体的には２４時間）が経過しているか否かを判定し（Ｓ１９）、経過した場合は（Ｓ１９でＹＥＳ）、計時を終了して（Ｓ２０）、特性学習処理を行なうサブルーチン（図６参照）を呼び出し、第２所定時間が経過した場合（即ちＳ１９でＹＥＳの場合）の電圧センサ１１の検出結果である開放電圧ＶLEと、記憶部１３に記憶してある開放電圧ＶLS，ＶLnとを用い、特性学習処理を実行する（Ｓ２１）。Ｓ２１の処理完了後、ＣＰＵ１０はアクセサリスイッチ４がオンになったか否かを判定し（Ｓ２２）、オフのままである場合は（Ｓ２２でＮＯ）、Ｓ２２の処理を繰り返す。
【００６７】
Ｓ２１の特性学習処理を実行することによって、記憶部１３には、分極解消特性の学習結果として、タイミングＴ0 ,Ｔ1 ,Ｔ2 ,…, ＴN に関連付けて、比率ＲS ,Ｒ1 ,Ｒ2 ,…,ＲE が記憶される。
このようにＳ１２〜Ｓ２１の処理を繰り返すことによって、開放電圧予測装置１は、正常な状態のバッテリ２の分極解消特性を繰り返し学習する。
【００６８】
第２所定時間が経過していない場合（Ｓ１９でＮＯ）、ＣＰＵ１０は、アクセサリスイッチ４がオンになったか否かを判定し（Ｓ２３）、オフのままである場合は（Ｓ２３でＮＯ）、処理をＳ１６へ戻す。
【００６９】
アクセサリスイッチ４がオンになった場合（Ｓ２３でＹＥＳ）、ＣＰＵ１０は計時を終了する（Ｓ２４）。次いでＣＰＵ１０は、アクセサリスイッチ４がオンになったとき（即ちＳ２３でＹＥＳの場合）の電圧センサ１１の検出結果である開放電圧Ｖ' と検出のタイミングＴ' とを用いて、記憶部１３を参照し、タイミングＴ' ＝タイミングＴn のときは比率Ｒn を求め、タイミングＴn ＜タイミングＴ' ＜タイミングＴn+1 のときは比率ＲC を求める（Ｓ２５）。そしてＣＰＵ１０は、数式（７）又は数式（８）に従い、平衡状態の開放電圧値ＶE' を算出する（Ｓ２６）。
【００７０】
最後にＣＰＵ１０は、Ｓ２６で算出した開放電圧値ＶE' を用いてバッテリ２の充電量を算出し（Ｓ２７）、処理をＳ１１に戻す。
一方、アクセサリスイッチ４がオンになった場合（Ｓ２２でＹＥＳ）、ＣＰＵ１０は、Ｓ１９でＹＥＳの場合の電圧センサ１１の検出結果、即ち平衡状態の開放電圧ＶLEを用いて、Ｓ２７にてバッテリ２の充電量を算出する。
この後、例えば、Ｓ２７における算出結果が小さい場合、バッテリ２の充電量が不足しているため、ＣＰＵ１０は、優先度の低い電気負荷に対するバッテリ２からの給電を行なわないようにする。
【００７１】
以上のような電圧予測処理における電圧センサ１１は電圧検出手段として機能し、Ｓ２１におけるＣＰＵ１０は特性算出手段として機能し、Ｓ２５及びＳ２６におけるＣＰＵ１０は予測手段として機能する。更に詳細には、Ｓ２５におけるＣＰＵ１０は対応算出手段として機能し、Ｓ２６におけるＣＰＵ１０は電圧算出手段として機能する。
また、Ｓ１４におけるＣＰＵ１０は電圧判定手段として機能し、Ｓ１４でＹＥＳの場合にＳ１６以降の処理を行なわないことによって、ＣＰＵ１０は禁止手段として機能する。
【００７２】
図６は、ＣＰＵ１０が実行する特性学習処理手順のサブルーチンを示すフローチャートである。
ＣＰＵ１０は、比率ＲL0（＝（ＶLE−ＶL0）／（ＶLE−ＶLS））に“１”を代入し（Ｓ５１）、比率ＲLN（＝（ＶLE−ＶLN）／（ＶLE−ＶLS））に“０”を代入し（Ｓ５２）、差値ＤES（＝ＶLE−ＶLS）を算出する（Ｓ５３）。そして、ＣＰＵ１０は変数ｎに１を代入して（Ｓ５４）、処理をＳ５５へ移す。
【００７３】
ＣＰＵ１０は、数式（１）に従って、今回の差値ＤLn（＝ＶLE−ＶLn）を算出し（Ｓ５５）、次に、数式（５）に従って、今回の比率ＲLn（＝ＤLn／ＤES）を算出する（Ｓ５６）。
更にＣＰＵ１０は、記憶部１３に前回までの比率ＲRnが既に記憶されているか否かを判定する（Ｓ５７）。前回までの比率ＲRnが既に記憶されている場合（Ｓ５７でＹＥＳ）、ＣＰＵ１０は、数式（９）に従って、加重平均法で平均化された比率Ｒn （＝αＲRn＋（１−α）ＲLn）を算出して（Ｓ５８）、Ｓ５８の算出結果である比率Ｒn を記憶部１３に記憶させる（Ｓ５９）。
【００７４】
前回までの比率ＲRnがまだ記憶されていない場合は（Ｓ５７でＮＯ）、例えばバッテリ２の取り替えによって記憶部１３に記憶されているデータが消去された後なので、ＣＰＵ１０は、Ｓ５６にて算出した今回の比率ＲLnを比率Ｒn に代入して（Ｓ６０）、処理をＳ５９へ移し、比率Ｒn を記憶部１３に記憶させる。
【００７５】
Ｓ５９の処理完了後、ＣＰＵ１０は変数ｎに“１”を加算し（Ｓ６１）、変数ｎが定数Ｎ以上であるか否かを判定して（Ｓ６２）、ｎ＜Ｎである場合は（Ｓ６２でＮＯ）、処理をＳ５５へ戻す。
ｎ≧Ｎである場合（Ｓ６２でＹＥＳ）、ＣＰＵ１０は特性学習処理を終了して処理を元のルーチンへ戻す。
【００７６】
このような特性学習処理のＳ５５におけるＣＰＵ１０は差値算出手段として機能し、Ｓ５６におけるＣＰＵ１０は比率算出手段として機能し、Ｓ５８におけるＣＰＵ１０は平均算出手段として機能する。
また、Ｓ５９における記憶部１３は、ＣＰＵ１０に制御されて、記憶手段として機能する。
更に、揮発性を有する記憶部１３を用いることによって、バッテリ２が取り替えられる都度、取り替え前のバッテリ２に係る分極解消特性が記憶部１３から消去され、取り替えられた後のバッテリ２に係る分極解消特性が新たに算出されて、記憶部１３に記憶される。
【００７７】
以上のような開放電圧予測装置１が実行する開放電圧予測方法では、車両に搭載されているバッテリ２の個体毎に、分極解消特性が、バッテリ２の経時変化に対応しつつ学習される。また、過去のデータの重み付けを行なうことによって、バッテリ２の劣化進行に対応した分極解消特性が学習される。
更に、バッテリ２がバッテリ端子から取り外された後に再度接続された場合も、分極解消特性が再学習される。
このように学習又は再学習された分極解消特性に基づいて平衡状態の開放電圧値が予測される。ここで、バッテリ２の分極解消特性に関する学習がまだ行なわれていないのに平衡状態の開放電圧値を予測しなければならない場合のために、適宜の分極解消特性を予め設定しておいてもよい。
【００７８】
なお、過去のデータを反映させずに、直前のデータのみから導き出した分極解消特性に基づいて平衡状態の開放電圧値を予測してもよい。
また、第１所定時間は３時間毎に限るものではなく、第２所定時間は２４時間以上であればよい。
【図面の簡単な説明】
【００７９】
【図１】本発明の実施の形態に係る開放電圧予測方法を実行する開放電圧予測装置の概略構成を示すブロック図である。
【図２】バッテリの充電後の開放電圧値の時間変化を示す特性図である。
【図３】バッテリの放電後の開放電圧値の時間変化を示す特性図である。
【図４】本発明の実施の形態に係る開放電圧予測装置のＣＰＵが実行する電圧予測処理の手順を示すフローチャートである。
【図５】本発明の実施の形態に係る開放電圧予測装置のＣＰＵが実行する電圧予測処理の手順を示すフローチャートである。
【図６】本発明の実施の形態に係る開放電圧予測方法のＣＰＵが実行する特性学習処理手順のサブルーチンを示すフローチャートである。
【符号の説明】
【００８０】
１    開放電圧予測装置
１０  ＣＰＵ
１１  電圧センサ（電圧検出手段）
１３  記憶部（記憶手段）
２    バッテリ
３１  エンジン
３２  オルタネータ
４    アクセサリスイッチ
４１  ラジオ（電気負荷）
４２  フォグランプ（電気負荷）
４３  デフォガ（電気負荷）
【図１】
2008191103.tif 000003
【図２】
2008191103.tif 000004
【図３】
2008191103.tif 000005
【図４】
2008191103.tif 000006
【図５】
2008191103.tif 000007
【図６】
2008191103.tif 000008